(57)【要約】【課題】  キースイッチ構造の全高さを低くするために、第１リンク部材、第２リンク部材の肉厚を小さくすると、キートップの押下時の衝撃や第２リンク部材の軸孔付近を広げて取り外す場合等、第２リンク部材の軸孔付近が破壊するという問題があった。【解決手段】  第１リンク部材中央部の軸の形状を根本から中間点までの軸径に対して中間点から先端までの軸径を小さくする。またはテ−パ形状として、第２リンク部材の軸孔の形状をこれに合わせ嵌合させることにより前記第２リンク部材の軸孔付近の強度を増すことを特徴とするものである。【選択図】  図１
2006309963.tif 000002
【特許請求の範囲】
【請求項１】
キートップと、前記キートップを押下可能に支持したハウジングと、前記ハウジングを取り付けたベースプレートと、中央部に軸を有する第１リンク部材と、前記軸に嵌合する軸孔を有する第２リンク部材と、前記第１リンク部材と第２リンク部材を互いに回転可能にＸ状に組み、該第１リンク部材の一端を前記キートップに回転可能に支持すると共に、該第２リンク部材を前記キートップに回転可能にかつ水平方向に移動可能に支持し、前記第１リンク部材の他端を前記ハウジングに回転可能にかつ水平方向に移動可能に支持すると共に前記の第２リンク部材の他端を前記ハウジングに回転可能に支持し、前記キートップの押下によって圧縮変形する弾性部材と、可動接点と固定接点を有するメンブレンシートと、前記ハウジングと前記ベースプレートの間に前記メンブレンシートを挟み前記弾性部材によって前記可動接点を固定接点に接触させてスイッチを開閉するキースイッチ構造において、
前記第１リンク部材中央部の軸の形状を根本から中間点までの軸径に対して中間点から先端までの軸径を小さくし前記第２リンク部材の軸孔の形状をこれに合わせ嵌合させることにより前記第２リンク部材の軸孔付近の強度を増すことを特徴とするキースイッチ構造。
【請求項２】
キートップと、前記キートップを押下可能に支持したハウジングと、前記ハウジングを取り付けたベースプレートと、中央部に軸を有する第１リンク部材と、前記軸に嵌合する軸孔を有する第２リンク部材と、前記第１リンク部材と第２リンク部材を互いに回転可能にＸ状に組み、該第１リンク部材の一端を前記キートップに回転可能に支持すると共に、該第２リンク部材を前記キートップに回転可能にかつ水平方向に移動可能に支持し、前記第１リンク部材の他端を前記ハウジングに回転可能にかつ水平方向に移動可能に支持すると共に前記の第２リンク部材の他端を前記ハウジングに回転可能に支持し、前記キートップの押下によって圧縮変形する弾性部材と、可動接点と固定接点を有するメンブレンシートと、前記ハウジングと前記ベースプレートの間に前記メンブレンシートを挟み前記弾性部材によって前記可動接点を固定接点に接触させてスイッチを開閉するキースイッチ構造において、
前記第１リンク部材中央部の軸の形状を根本から中間点までの軸径に対して中間点から先端までの軸径をテ−パ形状にして前記第２リンク部材の軸孔の形状をこれに合わせ嵌合させることにより前記第２リンク部材の軸孔付近の強度を増すことを特徴とするキースイッチ構造。
【発明の詳細な説明】
【技術分野】
【０００１】
本発明は、情報処理装置の入力装置に用いるキースイッチ構造に係り、特に薄型の要求の強い可搬型のパーソナルコンピュ−タやワードプロセッサ等のキーボードに用いられるキースイッチ構造に関するものである。
【背景技術】
【０００２】
図１３は従来技術のキースイッチ構造を示す断面図、図１４は分解斜視図である。このキースイッチ構造は、キートップ１，第１リンク部材２，第２リンク部材３，弾性部材４，ハウジング５，固定ピン５ｆ，変形部５ｇ，メンブレン接点シート６，ベースプレート７，取り付け孔７ｂ，凹部７ｃにより構成されている。
【０００３】
キートップ１には、第１リンク部材２の一端を回転可能に支持する回転支持部１ａ，１ｂと、第２リンク部材３の一端を回転可能にかつ水平方向に平行移動（運動）可能に支持するスライド支持部１ｃ，１ｄが設けられている。第１リンク部材２は一対の脚部２ａ，２ｂを有し、該脚部２ａ，２ｂの一端にはキートップ１の回転支持部１ａ，１ｂに挿入される第１連結棒２ｃが脚部２ａ，２ｂを連結するように設けられ、同様に脚部２ａ，２ｂの他端には、第２連結棒２ｄが脚部２ａ，２ｂを連結するように設けられている。
【０００４】
更に、脚部２ａ，２ｂの各々には、第１連結棒２ｃと第２連結棒２ｄとをつなぐ線上にあって、かつそれぞれの連結棒２ｃ，２ｄに対して等距離となる位置に軸２ｅ，２ｆが設けられている。第２リンク部材３は一対の脚部３ａ，３ｂを有し、該脚部３ａ，３ｂの一端にはキートップ１のスライド支持部１ｃ，１ｄに回転可能にかつ水平方向に平行移動（運動）可能に支持される第１支持突起３ｃ，３ｄが、他端には第１リンク部材２の両連結棒２ｃ，２ｄ間と等しい距離に第２支持突起３ｅ，３ｆがそれぞれ設けられている。
【０００５】
また、第１支持突起３ｃ、３ｄと第２支持突起３ｅ、３ｆをつなぐ線上にあってかつ各々の支持突起３ｃ、３ｄ、３ｅ、３ｆに対して等距離となる位置に軸穴３ｇ、３ｈが設けられている。更に、脚部３ａ、３ｂは各々の第１支持突起３ｃ、３ｄよりも先端側において連結部３ｉにより連結されている。
【０００６】
第１リンク部材２と第２リンク部材３は、第１リンク部材２の回転軸２ｅ、２ｆを、第２リンク部材３の回転孔３ｇ、３ｈに嵌合することにより回転自在に係合されている。弾性部材４はゴム等を素材として略カップ状に形成され、内面中央部に接点押下部４ａが突出形成されており、この弾性部材４はその上部がキートップ１の裏面に接するように、メンブレン接点シート６上に配置されている。
【０００７】
ハウジング５は複数のキーに対応する複数の孔を有しており、孔の一端付近に第１リンク部材２の第２連結棒２ｄを回転可能にかつ水平方向に平行移動（運動）可能に支持するためのスライドガイド５ａ、５ｂが設けられ孔の多端付近には第２リンク部材３の第２支持突起３ｅ、３ｆを回転自在に支持するための回転ガイド５ｃ、５ｄが設けられている。
【０００８】
また、ハウジング５の孔の両端には、弾性部材４を固定する円弧形のガイド壁５ｅが対向するように設けられ、さらにメンブレン接点シート６およびベースプレート７を固定するネジ孔５ｆが設けられている。メンブレン接点シート６は、２枚の可撓性シート６ａ、６ｂと、この２枚の可撓性シート６ａ、６ｂに挟まれたスペーサシート６ｃから成り、このスペーサシート６ｃには複数の貫通孔６ｆが設けられている。
【０００９】
この貫通孔６ｆは２枚の可撓性シート６ａ、６ｂ間に空間を形成し、この空間内で互いに対向して位置するように、ベースプレート７側の可撓性シート６ｂには固定接点６ｄが、弾性部材４側の可撓性シート６ａには可動接点６ｅがそれぞれ設けられている。ベースプレート７は、以上の部品を搭載するように下部に配置され、ハウジング５とベースプレート７の間にメンブレン接点シート６を挟み込んで、ベースプレート７から通したネジ８をハウジング５のネジ孔５ｆに締め付けることで組み立てられている。この構成において、ネジ８とネジ孔５ｆはキー数個に対して１個の割合で設けられている。
【００１０】
図１３を用いて作用・動作を説明する。まず、キートップ１が指等で押下されて下方に移動するのに伴い、第１リンク部材２はキートップ１の回転支持部１ａ、１ｂに回転自在に支持された第１連結棒２ｃを回転の中心として時計方向に回転運動し、この第１リンク部材２の他端側に設けられた第２連結棒２ｄが、ハウジング５のスライドガイド５ａ、５ｂに沿って水平方向に摺動運動する。
【００１１】
第２リンク部材３は軸孔３ｇ、３ｈに第１リンク部材２の軸２ｅ、２ｆが回転自在に嵌合しているため第１リンク部材２の動作に伴って第２リンク部材３の第１支持突起３ｃ、３ｄがキートップ１のスライド支持部１ｃ、１ｄに沿って水平方向に摺動運動し、ハウジング５の回転ガイド５ｃ、５ｄに回転自在に支持された第２支持突起３ｅ、３ｆを回転の中心として第２リンク部材３は反時計方向に回動運動する。
【００１２】
その結果、キートップ１はハウジング５に対して平行を保ちながら下方へ移動し、このキートップ１の下方への移動に伴い、キートップ１の裏面が弾性部材４の上部を押圧するので、この弾性部材４は圧縮変形するとともに該弾性部材４の内部に形成されて下方に突出している接点押下部４ａがメンブレン接点シート６の可撓性シート６ａに当接してこれを押圧する。
【００１３】
これにより図１３（ａ）に示したように可動接点６ｅが固定接点６ｄに接触して電気的に接続し、スイッチは閉成状態となる。さらに、キートップ１を押下すると、第２リンク部材３の連結部３ｉが第１支持突起３ｃ、３ｄよりも端部側に設けられているため、第１リンク部材２と第２リンク部材３とは重なることなく、どちらもハウジング５に対して水平となる位置まで回転する。
【００１４】
キートップ１の押下を解除すると、各構成部品は弾性部材４の復元力によって図１３（ｂ）に示したように元の状態に戻り、メンブレン接点シート６の可動接点６ｅが固定接点６ｄから離れ、これにより電気的接触が絶たれるためスイッチは開放状態となる。
【００１５】
また、このような従来のキーボード装置は、特開２００１−２２９７６４号公報に示されている。
【特許文献１】特開２００１−２２９７６４号公報
【発明の開示】
【発明が解決しようとする課題】
【００１６】
しかしながら、上記構成のキーボード装置では、キースイッチ構造の全高さを低くするために、第１リンク部材２、第２リンク部材３の厚さを小さくすると、第１リンク部材２の軸２ｅ、２ｆが入り込む第２リンク部材３の軸孔３ｇ、３ｈ付近の肉厚が少なくなり、キートップ１の押下時の衝撃や第２リンク部材３の軸孔３ｇ、３ｈ付近を広げて取り外す場合等、第２リンク部材３の軸孔３ｇ、３ｈ付近が破壊するという問題があった。
【００１７】
本発明は、このような実情に鑑みてなされたもので、ユーザーがキートップ１の押下時の衝撃や第２リンク部材３の軸孔３ｇ、３ｈ付近を広げて取り外す場合等、第２リンク部材３の軸孔３ｇ、３ｈ付近が破壊するのを防止したキースイッチ構造を提案することを目的としている。
【課題を解決するための手段】
【００１８】
上記課題を解決するために、本発明の実施例１のキースイッチ構造は、キートップと、前記キートップを押下可能に支持したハウジングと、前記ハウジングを取り付けたベースプレートと、中央部に軸を有する第１リンク部材と、前記軸に嵌合する軸孔を有する第２リンク部材と、前記第１リンク部材と第２リンク部材を互いに回転可能にＸ状に組み、該第１リンク部材の一端を前記キートップに回転可能に支持すると共に、該第２リンク部材を前記キートップに回転可能にかつ水平方向に移動可能に支持し、前記第１リンク部材の他端を前記ハウジングに回転可能にかつ水平方向に移動可能に支持すると共に、前記の第２リンク部材の他端を前記ハウジングに回転可能に支持し、前記キートップの押下によって圧縮変形する弾性部材と、可動接点と固定接点を有するメンブレンシートと、前記ハウジングと前記ベースプレートの間に前記メンブレンシートを挟み前記弾性部材によって前記可動接点を固定接点に接触させてスイッチを開閉するキースイッチ構造において、前記第１リンク部材中央部の軸の形状を根本から中間点までの軸径に対して中間点から先端までの軸径を小さくし、前記第２リンク部材の軸孔の形状をこれに合わせ嵌合させることにより前記第２リンク部材の軸孔付近の強度を増すことを特徴とするものである。
【００１９】
また、本発明の実施例２のキースイッチ構造は、キートップと、前記キートップを押下可能に支持したハウジングと、前記ハウジングを取り付けたベースプレートと、中央部に軸を有する第１リンク部材と、前記軸に嵌合する軸孔を有する第２リンク部材と、前記第１リンク部材と第２リンク部材を互いに回転可能にＸ状に組み、該第１リンク部材の一端を前記キートップに回転可能に支持すると共に、該第２リンク部材を前記キートップに回転可能にかつ水平方向に移動可能に支持し、前記第１リンク部材の他端を前記ハウジングに回転可能にかつ水平方向に移動可能に支持すると共に、前記の第２リンク部材の他端を前記ハウジングに回転可能に支持し、前記キートップの押下によって圧縮変形する弾性部材と、可動接点と固定接点を有するメンブレンシートと、前記ハウジングと前記ベースプレートの間に前記メンブレンシートを挟み前記弾性部材によって前記可動接点を固定接点に接触させてスイッチを開閉するキースイッチ構造において、前記第１リンク部材中央部の軸の形状を根本から中間点までの軸径に対して中間点から先端までの軸径をテ−パ形状にして、前記第２リンク部材の軸孔の形状をこれに合わせ嵌合させることにより前記第２リンク部材の軸孔付近の強度を増すことを特徴とするものである。
【発明の効果】
【００２０】
本発明のキースイッチ構造によれば、ユーザーがキートップの押下時の衝撃や第２リンク部材の軸孔付近を広げて取り外す場合等、第２リンク部材の軸孔付近が破壊するのを防止したキースイッチ構造を提案することが出来る。
【発明を実施するための最良の形態】
【００２１】
以下、本発明の実施例について図面に従って詳細に説明する。
【００２２】
図１は本発明の実施例１におけるキースイッチ構造を示す斜視図であり、図２は図１の要部斜視図、図３は図２のAA矢視断面図、図４は実施例１のキー未押下状態を示す断面図、図５は実施例１のキー押下状態を示す断面図、図６は実施例１のキートップを外す状態を示す要部断面図である。図７は実施例２におけるキースイッチ構造を示す斜視図、図８は図７の要部斜視図、図９は図８のＢＢ矢視断面図、図１０は実施例２のキー未押下状態を示す断面図、図１１は実施例２のキー押下状態を示す断面図、図１２は実施例２のキートップを外す状態を示す要部断面図である。図１３は従来のキースイッチ構造を示す断面図、図１４は図１３の分解斜視図である。
なお、各図面に共通する要素については同一の符号を用い、既に説明した部分と同一構造の部分については説明も省略する。
【００２３】
＜実施例１＞
図１から図６を用いて、実施例１のキースイッチ構造を詳しく説明する。
【００２４】
図１〜図３において、キートップ１には、第１リンク部材２０の一端を回転可能に支持する回転支持部１ａ、１ｂと、第２リンク部材３０の一端を回転可能にかつ水平方向に平行移動（運動）可能に支持するスライド支持部１ｃ、１ｄが設けられている。第１リンク部材２０は一対の脚部２０ａ、２０ｂを有し、該脚部２０ａ、２０ｂの一端にはキートップ１の回転支持部１ａ、１ｂに挿入される第１連結棒２０ｃが脚部２０ａ、２０ｂを連結するように設けられ、同様に脚部２０ａ、２０ｂの他端には、第２連結棒２０ｄが脚部２０ａ、２０ｂを連結するように設けられている。
【００２５】
更に、脚部２０ａ、２０ｂの各々には、第１連結棒２０ｃと第２連結棒２０ｄとをつなぐ線上にあって、かつそれぞれの連結棒２０ｃ、２０ｄに対して等距離となる位置に形状を根本から中間点までの軸径に対して、中間点から先端までの軸径を小さくした軸２０ｅ、２０ｆが設けられている。第２リンク部材３０は一対の脚部３０ａ、３０ｂを有し、該脚部３０ａ、３０ｂの一端にはキートップ１のスライド支持部１ｃ、１ｄに回転可能にかつ水平方向に平行移動（運動）可能に支持される第１支持突起３０ｃ、３０ｄが、他端には第１リンク部材２０の両連結棒２０ｃ、２０ｄ間と等しい距離に第２支持突起３０ｅ、３０ｆがそれぞれ設けられている。
【００２６】
また、第１支持突起３０ｃ、３０ｄと第２支持突起３０ｅ、３０ｆをつなぐ線上にあってかつ各々の支持突起３０ｃ、３０ｄ、３０ｅ、３０ｆに対して等距離となる位置に前記軸２０ｅ、２０ｆに合わせた形状の軸穴３０ｇ、３０ｈが設けられている。更に、脚部３０ａ、３０ｂは各々の第１支持突起３０ｃ、３０ｄよりも先端側において連結部３０ｉにより連結されている。
【００２７】
第１リンク部材２０と第２リンク部材３０は、第１リンク部材２の回転軸２０ｅ、２０ｆを、第２リンク部材３０の軸穴３０ｇ、３０ｈに嵌合することにより回転自在に係合されている。弾性部材４はゴム等を素材として略カップ状に形成され、内面中央部に接点押下部４ａが突出形成されており、この弾性部材４はその上部がキートップ１の裏面に接するように、メンブレン接点シート６上に配置されている。
【００２８】
ハウジング５は複数のキーに対応する複数の孔を有しており、孔の一端付近に第１リンク部材２０の第２連結棒２０ｄを回転可能にかつ水平方向に平行移動（運動）可能に支持するためのスライドガイド５ａ、５ｂが設けられ孔の多端付近には第２リンク部材３０の第２支持突起３０ｅ、３０ｆを回転自在に支持するための回転ガイド５ｃ、５ｄが設けられている。
【００２９】
また、ハウジング５の孔の両端には、弾性部材４を固定する円弧形のガイド壁５ｅが対向するように設けられ、さらにメンブレン接点シート６およびベースプレート７を固定するネジ孔５ｆが設けられている。メンブレン接点シート６は、２枚の可撓性シート６ａ、６ｂと、この２枚の可撓性シート６ａ、６ｂに挟まれたスペーサシート６ｃから成り、このスペーサシート６ｃには複数の貫通孔６ｆが設けられている。
【００３０】
この貫通孔６ｆは２枚の可撓性シート６ａ、６ｂ間に空間を形成し、この空間内で互いに対向して位置するように、ベースプレート７側の可撓性シート６ｂには固定接点６ｄが、弾性部材４側の可撓性シート６ａには可動接点６ｅがそれぞれ設けられている。ベースプレート７は、以上の部品を搭載するように下部に配置され、ハウジング５とベースプレート７の間にメンブレン接点シート６を挟み込んで、ベースプレート７から通したネジ８をハウジング５のネジ孔５ｆに締め付けることで組み立てられている。この構成において、ネジ８とネジ孔５ｆはキー数個に対して１個の割合で設けられている。
【００３１】
次に図４から図６を用いて作用・動作を説明する。まず、キートップ１が指等で押下されて下方に移動するのに伴い、第１リンク部材２０はキートップ１の回転支持部１ａ、１ｂに回転自在に支持された第１連結棒２０ｃを回転の中心として時計方向に回転運動し、この第１リンク部材２０の他端側に設けられた第２連結棒２０ｄが、ハウジング５のスライドガイド５ａ、５ｂに沿って水平方向に摺動運動する。
【００３２】
第２リンク部材３０は軸孔３０ｇ、３０ｈに第１リンク部材２０の軸２０ｅ、２０ｆが回転自在に嵌合しているため第１リンク部材２０の動作に伴って第２リンク部材３０の第１支持突起３０ｃ、３０ｄがキートップ１のスライド支持部１ｃ、１ｄに沿って水平方向に摺動運動し、ハウジング５の回転ガイド５ｃ、５ｄに回転自在に支持された第２支持突起３０ｅ、３０ｆを回転の中心として第２リンク部材３０は反時計方向に回動運動する。
【００３３】
その結果、キートップ１はハウジング５に対して平行を保ちながら下方へ移動し、このキートップ１の下方への移動に伴い、キートップ１の裏面が弾性部材４の上部を押圧するので、この弾性部材４は圧縮変形するとともに該弾性部材４の内部に形成されて下方に突出している接点押下部４ａがメンブレン接点シート６の可撓性シート６ａに当接してこれを押圧する。
【００３４】
これにより図５に示したように可動接点６ｅが固定接点６ｄに接触して電気的に接続し、スイッチは閉成状態となる。さらに、キートップ１を押下すると、第２リンク部材３０の連結部３０ｉが第１支持突起３０ｃ、３０ｄよりも端部側に設けられているため、第１リンク部材２０と第２リンク部材３０とは重なることなく、どちらもハウジング５に対して水平となる位置まで回転する。
【００３５】
キートップ１の押下を解除すると、各構成部品は弾性部材４の復元力によって図４に示したように元の状態に戻り、メンブレン接点シート６の可動接点６ｅが固定接点６ｄから離れ、これにより電気的接触が絶たれるためスイッチは開放状態となる。
【００３６】
図６は、キートップ１を外す時の第２リンク部材３０の状態を示している。第２リンク部材３０の軸穴３０ｇ、３０ｈは、穴の根本より中間までの範囲での直径に対して、中間より先端までの範囲で直径が小さく形成された穴のため、中間より先端までの範囲での強度が十分確保されており、キートップ１の端部を上方に引き上げられることで、第１リンク部材２０の軸２０ｅ、２０ｆが嵌合された第２リンク部材３０の軸穴３０ｇ、３０ｈの上側、あるいは下側に強く接触する状態でも第２リンク部材３０の軸穴３０ｇ、３０ｈ付近で破壊することはない。
【００３７】
これにより、ユーザーがキートップ１押下時の衝撃や第２リンク部材３０の軸孔３０ｇ、３０ｈ付近を広げて取り外す場合等、第２リンク部材３０の軸孔３０ｇ、３０ｈ付近が破壊するのを防止することが出来る。
【００３８】
＜実施例２＞
次に実施例２のについて説明する。なお、実施例１と同じ構造を有するものについては、同じ符号を付与することによってその説明を省略する。また、前記実施例１と同じ動作および同じ効果についても、その説明を省略する。
【００３９】
図７から図１２を用いて、実施例２のキースイッチ構造を詳しく説明する。
【００４０】
図７〜図９において、キートップ１には、第１リンク部材８０の一端を回転可能に支持する回転支持部１ａ、１ｂと、第２リンク部材９０の一端を回転可能にかつ水平方向に平行移動（運動）可能に支持するスライド支持部１ｃ、１ｄが設けられている。第１リンク部材８０は一対の脚部８０ａ、８０ｂを有し、該脚部８０ａ、８０ｂの一端にはキートップ１の回転支持部１ａ、１ｂに挿入される第１連結棒８０ｃが脚部８０ａ、８０ｂを連結するように設けられ、同様に脚部８０ａ、８０ｂの他端には、第２連結棒８０ｄが脚部８０ａ、８０ｂを連結するように設けられている。
【００４１】
更に、脚部８０ａ、８０ｂの各々には、第１連結棒８０ｃと第２連結棒８０ｄとをつなぐ線上にあって、かつそれぞれの連結棒８０ｃ、８０ｄに対して等距離となる位置に形状を根本から中間点までの軸径に対して、中間点から先端までの軸径をテ−パ形状にした軸８０ｅ、８０ｆが設けられている。第２リンク部材９０は一対の脚部９０ａ、９０ｂを有し、該脚部９０ａ、９０ｂの一端にはキートップ１のスライド支持部１ｃ、１ｄに回転可能にかつ水平方向に平行移動（運動）可能に支持される第１支持突起９０ｃ、９０ｄが、他端には第１リンク部材８０の両連結棒８０ｃ、８０ｄ間と等しい距離に第２支持突起９０ｅ、９０ｆがそれぞれ設けられている。
【００４２】
また、第１支持突起９０ｃ、９０ｄと第２支持突起９０ｅ、９０ｆをつなぐ線上にあってかつ各々の支持突起９０ｃ、９０ｄ、９０ｅ、９０ｆに対して等距離となる位置に前記軸８０ｅ、８０ｆに合わせた形状の軸穴９０ｇ、９０ｈが設けられている。更に、脚部９０ａ、９０ｂは各々の第１支持突起９０ｃ、９０ｄよりも先端側において連結部９０ｉにより連結されている。
【００４３】
第１リンク部材８０と第２リンク部材９０は、第１リンク部材８０の回転軸８０ｅ、８０ｆを、第２リンク部材９０の軸穴９０ｇ、９０ｈに嵌合することにより回転自在に係合されている。弾性部材４はゴム等を素材として略カップ状に形成され、内面中央部に接点押下部４ａが突出形成されており、この弾性部材４はその上部がキートップ１の裏面に接するように、メンブレン接点シート６上に配置されている。
【００４４】
ハウジング５は複数のキーに対応する複数の孔を有しており、孔の一端付近に第１リンク部材８０の第２連結棒８０ｄを回転可能にかつ水平方向に平行移動（運動）可能に支持するためのスライドガイド５ａ、５ｂが設けられ孔の多端付近には第２リンク部材９０の第２支持突起９０ｅ、９０ｆを回転自在に支持するための回転ガイド５ｃ、５ｄが設けられている。
【００４５】
また、ハウジング５の孔の両端には、弾性部材４を固定する円弧形のガイド壁５ｅが対向するように設けられ、さらにメンブレン接点シート６およびベースプレート７を固定するネジ孔５ｆが設けられている。メンブレン接点シート６は、２枚の可撓性シート６ａ、６ｂと、この２枚の可撓性シート６ａ、６ｂに挟まれたスペーサシート６ｃから成り、このスペーサシート６ｃには複数の貫通孔６ｆが設けられている。
【００４６】
この貫通孔６ｆは２枚の可撓性シート６ａ、６ｂ間に空間を形成し、この空間内で互いに対向して位置するように、ベースプレート７側の可撓性シート６ｂには固定接点６ｄが、弾性部材４側の可撓性シート６ａには可動接点６ｅがそれぞれ設けられている。ベースプレート７は、以上の部品を搭載するように下部に配置され、ハウジング５とベースプレート７の間にメンブレン接点シート６を挟み込んで、ベースプレート７から通したネジ８をハウジング５のネジ孔５ｆに締め付けることで組み立てられている。この構成において、ネジ８とネジ孔５ｆはキー数個に対して１個の割合で設けられている。
【００４７】
次に図１０から１２を用いて作用・動作を説明する。まず、キートップ１が指等で押下されて下方に移動するのに伴い、第１リンク部材２０はキートップ１の回転支持部１ａ、１ｂに回転自在に支持された第１連結棒２０ｃを回転の中心として時計方向に回転運動し、この第１リンク部材２０の他端側に設けられた第２連結棒２０ｄが、ハウジング５のスライドガイド５ａ、５ｂに沿って水平方向に摺動運動する。
【００４８】
第２リンク部材９０は軸孔９０ｇ、９０ｈに第１リンク部材８０の軸８０ｅ、８０ｆが回転自在に嵌合しているため第１リンク部材８０の動作に伴って第２リンク部材９０の第１支持突起９０ｃ、９０ｄがキートップ１のスライド支持部１ｃ、１ｄに沿って水平方向に摺動運動し、ハウジング５の回転ガイド５ｃ、５ｄに回転自在に支持された第２支持突起９０ｅ、９０ｆを回転の中心として第２リンク部材９０は反時計方向に回動運動する。
【００４９】
その結果、キートップ１はハウジング５に対して平行を保ちながら下方へ移動し、このキートップ１の下方への移動に伴い、キートップ１の裏面が弾性部材４の上部を押圧するので、この弾性部材４は圧縮変形するとともに該弾性部材４の内部に形成されて下方に突出している接点押下部４ａがメンブレン接点シート６の可撓性シート６ａに当接してこれを押圧する。
【００５０】
これにより図１１に示したように可動接点６ｅが固定接点６ｄに接触して電気的に接続し、スイッチは閉成状態となる。さらに、キートップ１を押下すると、第２リンク部材９０の連結部９０ｉが第１支持突起９０ｃ、９０ｄよりも端部側に設けられているため、第１リンク部材８０と第２リンク部材９０とは重なることなく、どちらもハウジング５に対して水平となる位置まで回転する。
【００５１】
キートップ１の押下を解除すると、各構成部品は弾性部材４の復元力によって図１０に示したように元の状態に戻り、メンブレン接点シート６の可動接点６ｅが固定接点６ｄから離れ、これにより電気的接触が絶たれるためスイッチは開放状態となる。
【００５２】
図１２は、キートップ１を外す時の第２リンク部材９０の状態を示している。第２リンク部材９０の軸穴９０ｇ、９０ｈは、穴の根本より中間までの範囲での直径に対して、中間より先端までの範囲で直径がテ−パ状に形成された穴のため、中間より先端までの範囲での強度が十分確保されており、キートップ１の端部を上方に引き上げられることで、第１リンク部材８０の軸８０ｅ、８０ｆが嵌合された第２リンク部材９０の軸穴９０ｇ、９０ｈの上側、あるいは下側に強く接触する状態でも第２リンク部材９０の軸穴９０ｇ、９０ｈ付近で破壊することはない。
【００５３】
これにより、ユーザーがキートップ１押下時の衝撃や第２リンク部材９０の軸孔９０ｇ、９０ｈ付近を広げて取り外す場合等、第２リンク部材９０の軸孔９０ｇ、９０ｈ付近が破壊するのを防止することが出来る。
【図面の簡単な説明】
【００５４】
【図１】実施例１のキースイッチ構造の分解斜視図である。
【図２】図１の要部斜視図である。
【図３】図２のＡＡ矢視断面図である。
【図４】実施例１のキー未押下状態を示す断面図である。
【図５】実施例１のキー押下状態を示す断面図である。
【図６】実施例１のキートップを外す状態を示す要部断面図である。
【図７】実施例２のキースイッチ構造の分解斜視図である。
【図８】図７の要部斜視図である。
【図９】図８のＢＢ矢視断面図である。
【図１０】実施例２のキー未押下状態を示す断面図である。
【図１１】実施例２のキー押下状態を示す断面図である。
【図１２】実施例２のキートップを外す状態を示す要部断面図である。
【図１３】従来技術のキースイッチ構造を示す断面図である
【図１４】図１３の分解斜視図である。
【符号の説明】
【００５５】
１  キートップ
２、２０、８０  第１リンク部材
３、３０、９０  第２リンク部材
２ｅ、２ｆ、２０ｅ、２０ｆ、８０ｅ、８０ｆ  軸
３ｅ、３ｆ、３０ｅ、３０ｆ、９０ｅ、９０ｆ  軸穴
４  メンブレンシート
５  ハウジング
６  メンブレンシート
７  ベースプレート
【図１】
2006309963.tif 000003
【図２】
2006309963.tif 000004
【図３】
2006309963.tif 000005
【図４】
2006309963.tif 000006
【図５】
2006309963.tif 000007
【図６】
2006309963.tif 000008
【図７】
2006309963.tif 000009
【図８】
2006309963.tif 000010
【図９】
2006309963.tif 000011
【図１０】
2006309963.tif 000012
【図１１】
2006309963.tif 000013
【図１２】
2006309963.tif 000014
【図１３】
2006309963.tif 000015
【図１４】
2006309963.tif 000016